(57)【要約】      （修正有）【課題】光ビームの走査により生じる迷光の影響を効果的に抑制する。【解決手段】ＥＥＰＲＯＭ８３に記憶した均一濃度のグレイ色のテストパターン潜像を、光走査装置により感光体ドラムに形成し、その静電潜像を現像して感光体ドラム表面にテストパターンのトナー像を形成し、テストパターンのトナー像を第１記録用紙に重ねて転写し、第１記録用紙上のテストパターンを画像読取り装置により読取って、この画像データを主制御部８５に内蔵のメモリ８５ａに記憶する。また、白紙の第２記録用紙を画像読取り装置により読取って、この画像データを主制御部８５に内蔵のメモリ８５ａに記憶する。主制御部８５は、テストパターンの画像データとスキャンパターンの画像データを比較して、第１記録用紙上に生じた迷光痕を検出し、光走査装置の光ビームにより感光体ドラム表面における迷光痕に該当する箇所が走査されるときに該光ビームの強度を低下させる。【選択図】図６
2012018261.tif 000002
【特許請求の範囲】
【請求項１】
画像読取り部と、潜像担持体上を光ビームで走査して、前記潜像担持体上に潜像を形成する光走査部とを備え、前記潜像担持体上の潜像を可視像に現像して、前記可視像を前記潜像担持体から記録媒体に転写する画像形成装置において、
前記光走査部により予め設定されたテストパターンの潜像を前記潜像担持体上に形成して、前記潜像担持体上のテストパターンの潜像を可視像に現像し、テストパターンの可視像を前記潜像担持体から第１記録媒体に転写して形成させる印刷制御部と、
前記画像読取り部により読取られた前記第１記録媒体上のテストパターンの読取り画像と、前記画像読取り部により読取られた第２記録媒体上の予め設定されたスキャンパターンの読取り画像とを比較する比較部と、
前記比較部の比較結果に基づき前記光走査部の光ビームの強度を制御する光量制御部とを備えることを特徴とする画像形成装置。
【請求項２】
請求項１に記載の画像形成装置であって、
前記比較部は、前記第１記録媒体上のテストパターンの読取り画像のスジを検出し、前記第２記録媒体上のスキャンパターンの読取り画像のスジを検出し、前記第１及び第２記録媒体上のスジを比較することを特徴とする画像形成装置。
【請求項３】
請求項２に記載の画像形成装置であって、
前記比較部は、前記第１及び第２記録媒体上のスジの位置が一致した場合に、スジの原因が前記画像読取り部にあると判定し、前記第１記録媒体上のスジだけが検出され、前記第１記録媒体上のスジの濃度が一定濃度以上であった場合に、スジの原因が前記光走査部にあると判定することを特徴とする画像形成装置。
【請求項４】
請求項２に記載の画像形成装置であって、
前記比較部は、前記第１及び第２記録媒体上のスジの位置が一致した場合に、スジの原因が前記画像読取り部の埃にあると判定し、前記第１記録媒体上のスジだけが検出され、前記第１記録媒体上のスジの濃度が一定濃度以上であった場合に、スジの原因が前記光走査部の迷光にあると判定することを特徴とする画像形成装置。
【請求項５】
請求項２〜４のいずれか１つに記載の画像形成装置であって、
前記光量制御部は、前記比較部により前記第１記録媒体上のスジだけが検出された場合に、前記光走査部の光ビームにより前記潜像担持体における前記スジに該当する箇所が走査されるときに該光ビームの強度を変更することを特徴とする画像形成装置。
【請求項６】
請求項５に記載の画像形成装置であって、
前記光量制御部は、前記光走査部の光ビームにより前記潜像担持体における前記スジに該当する箇所が走査されるときに該光ビームの強度を低下させることを特徴とする画像形成装置。
【請求項７】
請求項６に記載の画像形成装置であって、
前記光量制御部は、前記光走査部の光ビームの強度を低下させることにより前記潜像担持体における前記スジの濃度を低下させることを特徴とする画像形成装置。
【請求項８】
請求項５〜７のいずれか１つに記載の画像形成装置であって、
前記光量制御部は、画像データを入力して、前記画像データに基づき前記光走査部の光ビームの強度を制御しており、前記画像データを補正して、前記光走査部の光ビームにより前記潜像担持体における前記スジに該当する箇所が走査されるときに該光ビームの強度を変更することを特徴とする画像形成装置。
【請求項９】
請求項１〜８のいずれか１つに記載の画像形成装置であって、
前記第１記録媒体上のテストパターンとは、均一濃度のグレイ色の印刷パターンであることを特徴とする画像形成装置。
【請求項１０】
請求項１〜９のいずれか１つに記載の画像形成装置であって、
前記第２記録媒体上のスキャンパターンとは、前記第２記録媒体の均一濃度の生地であることを特徴とする画像形成装置。
【発明の詳細な説明】
【技術分野】
【０００１】
本発明は、電子写真方式のプリンタ、複写機、ファクシミリ等の画像形成装置に関する。
【背景技術】
【０００２】
この種の画像形成装置では、感光体表面を光ビームで走査して、静電潜像を感光体表面に形成し、トナーにより感光体表面の静電潜像を現像して、感光体表面にトナー像を形成し、トナー像を感光体から記録用紙に転写し、記録用紙を加熱及び加圧して、トナー像を記録用紙上に定着させる。
【０００３】
光ビームによる感光体表面の走査は、光走査装置により行われる。この光走査装置では、画像データに応じて半導体レーザから出力される光ビームの強度を変調しつつ、半導体レーザの光ビームをポリゴンミラーへと出射して、この光ビームをポリゴンミラーで反射させ、このポリゴンミラーの回転により光ビームを主走査方向に繰り返し偏向させ、更にｆθレンズにより光ビームを感光体上で等速度となるように偏向させ、この光ビームにより感光体表面を走査して、感光体表面に静電潜像を形成する。
【０００４】
ところが、光走査装置における光ビームの光路が複雑なため、迷光を生じることがあり、この迷光が感光体表面に入射して、感光体表面の静電潜像に影響を及ぼし、感光体及び記録用紙上のトナー像に迷光痕が生じ、画像品質が低下することがあった。
【０００５】
このため、特許文献１では、迷光を遮断する遮光板を設けて、迷光が感光体表面に入射することを防止している。
【０００６】
また、特許文献２では、迷光に関する技術的な記載がないものの、カラーパターンを予め記憶しておき、電子写真方式によりカラーパターンを記録用紙に印刷して、記録用紙上のカラーパターンをスキャナにより読取り、予め記憶しているカラーパターンと記録用紙上のカラーパターンとを比較していることから、この比較により記録用紙上の迷光痕検出の可能性がある。
【先行技術文献】
【特許文献】
【０００７】
【特許文献１】特開２００３−３２０７０３号公報
【特許文献２】特開２００７−７１９１８号公報
【発明の概要】
【発明が解決しようとする課題】
【０００８】
しかしながら、光走査装置においては、特許文献１のように遮光板により遮断し得る迷光だけではなく、その光路によっては遮断することができない迷光が存在する。
【０００９】
また、特許文献２では、予め記憶しているカラーパターンと記録用紙上のカラーパターンとを比較していても、記録用紙上の迷光痕の検出に関する記載は全くない。また、記録用紙上のカラーパターンには、迷光痕だけではなく、スキャナの埃等を原因とする痕跡も残るので、そのような比較だけでは迷光痕と埃等の痕跡を区別することができない。
【００１０】
そこで、本発明は、上記従来の問題点に鑑みなされたものであり、光ビームの走査により生じる迷光の影響を効果的に抑制することが可能な画像形成装置を提供することを目的とする。
【課題を解決するための手段】
【００１１】
上記課題を解決するために、本発明は、画像読取り部と、潜像担持体上を光ビームで走査して、前記潜像担持体上に潜像を形成する光走査部とを備え、前記潜像担持体上の潜像を可視像に現像して、前記可視像を前記潜像担持体から記録媒体に転写する画像形成装置において、前記光走査部により予め設定されたテストパターンの潜像を前記潜像担持体上に形成して、前記潜像担持体上のテストパターンの潜像を可視像に現像し、テストパターンの可視像を前記潜像担持体から第１記録媒体に転写して形成させる印刷制御部と、前記画像読取り部により読取られた前記第１記録媒体上のテストパターンの読取り画像と、前記画像読取り部により読取られた第２記録媒体上の予め設定されたスキャンパターンの読取り画像とを比較する比較部と、前記比較部の比較結果に基づき前記光走査部の光ビームの強度を制御する光量制御部とを備えている。
【００１２】
このような本発明では、光走査部によりテストパターンの潜像を潜像担持体上に形成して、潜像担持体上のテストパターンの潜像を可視像に現像し、テストパターンの可視像を潜像担持体から第１記録媒体に転写して形成している。このため、光走査部の光ビームの走査により迷光が生じて、迷光が潜像担持体上の潜像に影響を及ぼしたならば、迷光を原因とする迷光痕が第１記録媒体上のテストパターンの読取り画像に現れる。また、第２記録媒体上のスキャンパターンは、画像読取り部により単に読取られただけのものであって、光走査部や潜像担持体に関係ないので、迷光痕が第２記録媒体上のスキャンパターンの読取り画像に現れることはない。従って、第１記録媒体上のテストパターンの読取り画像と第２記録媒体上のスキャンパターンの読取り画像とを比較すれば、第１記録媒体上の読取り画像に現れていて、第２記録媒体上の読取り画像に現れていない迷光痕を特定することができる。こうして迷光痕を特定することができれば、迷光痕を抑制するための制御等が可能になる。
【００１３】
また、本発明の画像形成装置においては、前記比較部は、前記第１記録媒体上のテストパターンの読取り画像のスジを検出し、前記第２記録媒体上のスキャンパターンの読取り画像のスジを検出し、前記第１及び第２記録媒体上のスジを比較している。
【００１４】
迷光痕がスジとなって現れるので、第１及び第２記録媒体上のスジを比較すれば、迷光痕を確実に検出することができる。
【００１５】
更に、本発明の画像形成装置においては、前記比較部は、前記第１及び第２記録媒体上のスジの位置が一致した場合に、スジの原因が前記画像読取り部にあると判定し、前記第１記録媒体上のスジだけが検出され、前記第１記録媒体上のスジの濃度が一定濃度以上であった場合に、スジの原因が前記光走査部にあると判定している。
【００１６】
あるいは、前記比較部は、前記第１及び第２記録媒体上のスジの位置が一致した場合に、スジの原因が前記画像読取り部の埃にあると判定し、前記第１記録媒体上のスジだけが検出され、前記第１記録媒体上のスジの濃度が一定濃度以上であった場合に、スジの原因が前記光走査部の迷光にあると判定している。
【００１７】
第１記録媒体上のテストパターン及び第２記録媒体上のスキャンパターンのいずれも、画像読取り部により読取られたものなので、第１記録媒体上のテストパターン及び第２記録媒体上のスキャンパターンに共通のスジが存在すれば、このスジの原因が画像読取り部もしくはその埃にあると判定することができる。また、第２記録媒体上のスキャンパターンは、画像読取り部により単に読取られただけのものであって、光走査部や潜像担持体に関係ないので、光走査部や潜像担持体に関係する第１記録媒体上のテストパターンに現れたスジ（迷光痕）の原因が光走査部もしくはその迷光にあると判定することができる。
【００１８】
また、本発明の画像形成装置においては、前記光量制御部は、前記比較部により前記第１記録媒体上のスジだけが検出された場合に、前記光走査部の光ビームにより前記潜像担持体における前記スジに該当する箇所が走査されるときに該光ビームの強度を変更している。
【００１９】
更に、本発明の画像形成装置においては、前記光量制御部は、前記光走査部の光ビームにより前記潜像担持体における前記スジに該当する箇所が走査されるときに該光ビームの強度を低下させている。
【００２０】
あるいは、前記光量制御部は、前記光走査部の光ビームの強度を低下させることにより前記潜像担持体における前記スジの濃度を低下させている。
【００２１】
更に、本発明の画像形成装置においては、前記光量制御部は、画像データを入力して、前記画像データに基づき前記光走査部の光ビームの強度を制御しており、前記画像データを補正して、前記光走査部の光ビームにより前記潜像担持体における前記スジに該当する箇所が走査されるときに該光ビームの強度を変更している。
【００２２】
このような光ビームの強度の制御によりスジを目立たなくして抑制することができる。
【００２３】
また、本発明の画像形成装置においては、前記第１記録媒体上のテストパターンとは、均一濃度のグレイ色の印刷パターンである。
【００２４】
潜像担持体に入射する迷光の強度が低いことから、背景が白である場合は、記録媒体上に迷光痕が現れ難い。ところが、背景がグレイである場合は、迷光痕がグレイに乗って現れ易くなる。このため、第１記録媒体上のテストパターンとして均一濃度のグレイ色の印刷パターンを適用すると、第１記録媒体上の迷光痕を特定し易くなる。
【００２５】
更に、本発明の画像形成装置においては、前記第２記録媒体上のスキャンパターンとは、前記第２記録媒体の均一濃度の生地である。
【００２６】
第２記録媒体上のスキャンパターンを第２記録媒体の生地の均一濃度にすると、画像読取り部を原因とするスジ等を特定し易くなる。
【発明の効果】
【００２７】
このような本発明では、光走査部によりテストパターンの潜像を潜像担持体上に形成して、潜像担持体上のテストパターンの潜像を可視像に現像し、テストパターンの可視像を潜像担持体から第１記録媒体に転写して形成している。このため、光走査部の光ビームの走査により迷光が生じて、迷光が潜像担持体上の潜像に影響を及ぼしたならば、迷光を原因とする迷光痕が第１記録媒体上のテストパターンの読取り画像に現れる。また、第２記録媒体上のスキャンパターンは、画像読取り部により単に読取られただけのものであって、光走査部や潜像担持体に関係ないので、迷光痕が第２記録媒体上のスキャンパターンの読取り画像に現れることはない。従って、第１記録媒体上のテストパターンの読取り画像と第２記録媒体上のスキャンパターンの読取り画像とを比較すれば、第１記録媒体上の読取り画像に現れていて、第２記録媒体上の読取り画像に現れていない迷光痕を特定することができる。こうして迷光痕を特定することができれば、迷光痕を抑制するための制御等が可能になる。
【図面の簡単な説明】
【００２８】
【図１】本発明の画像形成装置の一実施形態を示す断面図である。
【図２】図１の画像形成装置における光走査装置を示す斜視図である。
【図３】（ａ）、（ｂ）は、光走査装置を示す平面図及び断面図である。
【図４】光走査装置における基板上に搭載された各レーザダイオード、各集積回路、及びＥＥＰＲＯＭ等と、画像形成装置における主制御部及び操作パネル等とを示すブロック図である。
【図５】光走査装置の基板における回路構成全体を示すブロック図である。
【図６】光走査装置の基板における一組のレーザダイオードとフォトダイオード、集積回路、及びＥＥＰＲＯＭと、画像形成装置における主制御部を抜粋して示すブロック図である。
【図７】（ａ）〜（ｄ）は、図６の回路の動作を例示するタイミングチャートである。
【図８】（ａ）は予め設定された均一濃度のグレイからなるテストパターンを示し、（ｂ）はテストパターンを印刷した第１記録用紙を示し、（ｃ）は第１記録用紙上のテストパターンの読取り画像を示し、（ｄ）は白紙（均一濃度のスキャンパターン）の第２記録用紙を示し、（ｅ）は第２記録用紙上のスキャンパターンの読取り画像を示している。
【図９】（ａ）〜（ｄ）は、図６の回路の動作を示すタイミングチャートであって、主走査期間における光ビームの強度の変化パターンを書き換えた場合のタイミングチャートである。
【図１０】（ａ）、（ｂ）は、第１記録用紙上のテストパターンの読取り画像におけるスジと、光ビームの強度が低下するタイミングを示す図である。
【図１１】（ａ）〜（ｄ）は、図６の回路の動作を示すタイミングチャートであって、主走査期間における画像データを書き換えた場合のタイミングチャートである。
【図１２】（ａ）、（ｂ）は、第１記録用紙上のテストパターンの読取り画像におけるスジと、スジと重なる各画素の濃度を示す図である。
【発明を実施するための形態】
【００２９】
以下、本発明の実施形態を添付図面を参照して詳細に説明する。
【００３０】
図１は、本発明の画像形成装置の一実施形態を示す断面図である。この画像形成装置１は、スキャナ機能、複写機能、プリンター機能、及びファクシミリ機能等を有する所謂複合機であり、画像読取り装置４１により読取られた原稿の画像を外部に送信したり（スキャナ機能に相当する）、この読取られた原稿の画像又は外部から受信した画像をカラーもしくは単色で記録用紙に記録形成する（複写機能、プリンター機能、及びファクシミリ機能に相当する）。
【００３１】
画像形成装置１は、画像を記録用紙に印刷するべく、光走査装置１１、現像装置１２、感光体ドラム１３、ドラムクリーニング装置１４、帯電器１５、中間転写ベルト装置１６、定着装置１７、用紙搬送経路Ｓ、給紙トレイ１８、及び用紙排出トレイ１９等を備えている。
【００３２】
画像形成装置１において扱われる画像データは、ブラック（Ｋ）、シアン（Ｃ）、マゼンタ（Ｍ）、イエロー（Ｙ）の各色を用いたカラー画像に応じたもの、又は単色（例えばブラック）を用いたモノクロ画像に応じたものである。このため、現像装置１２、感光体ドラム１３、ドラムクリーニング装置１４、及び帯電器１５は、各色に応じた４種類のトナー像を形成するようにそれぞれ４個ずつ設けられ、それぞれがブラック、シアン、マゼンタ、及びイエローに対応付けられて、４つの画像ステーションＰａ、Ｐｂ、Ｐｃ、Ｐｄが構成されている。
【００３３】
各感光体ドラム１３は、それらの表面に光感光層を有している。各帯電器１５は、それぞれの感光体ドラム１３の表面を所定の電位に均一に帯電させるための帯電手段であり、接触型であるローラ型やブラシ型の帯電器のほか、チャージャー型の帯電器が用いられる。
【００３４】
光走査装置１１は、レーザダイオード及び反射ミラーを備えたレーザスキャニングユニット（ＬＳＵ）であり、帯電された各感光体ドラム１３表面を画像データに応じて露光して、それらの表面に画像データに対応する静電潜像を形成する。
【００３５】
各現像装置１２は、それぞれの感光体ドラム１３表面に形成された静電潜像を各色のトナーにより現像し、これらの感光体ドラム１３表面にトナー像を形成する。各ドラムクリーニング装置１４は、現像及び画像転写後にそれぞれの感光体ドラム１３表面に残留したトナーを除去及び回収する。
【００３６】
中間転写ベルト装置１６は、各感光体ドラム１３の上方に配置されており、中間転写ベルト２１、中間転写ベルト駆動ローラ２２、従動ローラ２３、４つの中間転写ローラ２４、及びベルトクリーニング装置２５を備えている。
【００３７】
中間転写ベルト２１は、フィルムを無端ベルト状に形成したものである。中間転写ベルト駆動ローラ２２、従動ローラ２３、各中間転写ローラ２４等は、中間転写ベルト２１を張架して支持し、中間転写ベルト２１を矢印Ｃ方向に周回移動させる。
【００３８】
各中間転写ローラ２４は、中間転写ベルト２１近傍に回転可能に支持され、中間転写ベルト２１を介してそれぞれの感光体ドラム１３に押圧されている。各感光体ドラム１３表面のトナー像が中間転写ベルト２１に順次重ねて転写されて、中間転写ベルト２１上にカラーのトナー像（各色のトナー像）が形成される。各感光体ドラム１３から中間転写ベルト２１へのトナー像の転写は、中間転写ベルト２１裏面に圧接されている各中間転写ローラ２４によって行われる。各中間転写ローラ２４は、金属（例えばステンレス）軸をベースとし、その表面が導電性の弾性材（例えばＥＰＤＭ、発泡ウレタン等）により覆われたローラである。各中間転写ローラ２４には、トナー像を転写するために高電圧の転写バイアス（トナーの帯電極性（−）とは逆極性（＋）の高電圧）が印加されており、その導電性の弾性材により高電圧が記録用紙に対して均一に印加される。
【００３９】
こうして各感光体ドラム１３表面のトナー像は、中間転写ベルト２１で転写積層され、画像データによって示されるカラーのトナー像となる。このカラーのトナー像は、中間転写ベルト２１と共に搬送され、中間転写ベルト２１と２次転写装置２６の転写ローラ２６ａ間のニップ域で記録用紙上に転写される。
【００４０】
２次転写装置２６の転写ローラ２６ａには、中間転写ベルト２１上の各色のトナー像を記録用紙に転写させるための電圧（トナーの帯電極性（−）とは逆極性（＋）の高電圧）が印加されている。
【００４１】
また、２次転写装置２６によって中間転写ベルト２１上のトナー像が記録用紙上に完全に転写されず、中間転写ベルト２１表面にトナーが残留することがあり、この残留トナーが次工程でトナーの混色を発生させる原因となる。このため、ベルトクリーニング装置２５によって中間転写ベルト２１表面の残留トナーを除去及び回収する。ベルトクリーニング装置２５には、例えばクリーニング部材として、中間転写ベルト２１表面に接触して残留トナーを除去するクリーニングブレードが設けられており、クリーニングブレードが接触する部位で、従動ローラ２３により中間転写ベルト２１裏側が支持されている。
【００４２】
記録用紙は、中間転写ベルト２１と２次転写装置２６の転写ローラ２６ａ間のニップ域でカラーのトナー像を転写された後、定着装置１７へと搬送される。定着装置１７は、加熱ローラ３１及び加圧ローラ３２等を備えており、加熱ローラ３１と加圧ローラ３２間に記録用紙を挟み込んで搬送する。
【００４３】
加熱ローラ３１は、図示しない温度検出器の検出出力に基づき、所定の定着温度となるように制御されており、加圧ローラ３２と共に記録用紙を熱圧着することにより、記録用紙に転写されたカラーのトナー像を溶融、混合、圧接し、記録用紙に対して熱定着させる。
【００４４】
また、画像形成装置１の下部には、記録用紙を供給する給紙トレイ１８が設けられている。画像形成装置１には、給紙トレイ１８から供給された記録用紙を２次転写装置２６や定着装置１７を経由させて用紙排出トレイ１９に送るための、用紙搬送経路Ｓが設けられている。
【００４５】
給紙トレイ１８の端部には用紙ピックアップローラ３３が設けられており、この用紙ピックアップローラ３３により給紙トレイ１８から記録用紙が１枚ずつ引き出されて用紙搬送経路Ｓへと搬送される。
【００４６】
用紙搬送経路Ｓに沿って、用紙レジストローラ３４、定着装置１７、搬送ローラ３５、及び排紙ローラ３６等が配置されている。搬送ローラ３５は、記録用紙の搬送を促進補助するための小型のローラであり、複数組設けられている。
【００４７】
用紙レジストローラ３４は、搬送されて来た記録用紙を一旦停止させて、記録用紙の先端を揃え、中間転写ベルト２１と２次転写装置２６の転写ローラ２６ａ間のニップ域で中間転写ベルト２１上のカラーのトナー像が記録用紙に転写されるように、各感光体ドラム１３及び中間転写ベルト２１の回転にあわせて、記録用紙をタイミングよく搬送する。
【００４８】
更に、記録用紙は、定着装置１７でカラーのトナー像を定着され、定着装置１７を通過した後、排紙ローラ３６によって用紙排出トレイ１９上にフェイスダウンで排出される。
【００４９】
また、記録用紙の表面だけではなく、裏面の印字を行う場合は、記録用紙を排紙ローラ３６により搬送する途中で、排紙ローラ３６を停止させてから逆回転させ、記録用紙を反転経路Ｓｒに通して、記録用紙の表裏を反転させ、記録用紙を用紙レジストローラ３４へと導き、記録用紙の表面と同様に、記録用紙の裏面に画像を記録して定着し、記録用紙を用紙排紙トレイ１９に排出する。
【００５０】
次に、画像形成装置１の本体上部に搭載されている画像読取り装置４１及び原稿搬送装置４２について説明する。原稿搬送装置４２は、その奥一辺をヒンジ（図示せず）により画像読取り装置４１の奥一辺に枢支され、その手前部分を上下させることにより開閉される。原稿搬送装置４２が開かれたときには、画像読取り装置４１のプラテンガラス４４が開放され、このプラテンガラス４４上に原稿が載置される。
【００５１】
画像読取り装置４１は、プラテンガラス４４、第１走査ユニット４５、第２走査ユニット４６、結像レンズ４７、及びＣＣＤ（Charge Coupled Device）４８等を備えている。第１走査ユニット４５は、照明装置５１及び第１反射ミラー５２を備えており、副走査方向に原稿サイズに応じた距離だけ一定速度Ｖで移動しながら、プラテンガラス４４上の原稿を照明装置５１によって露光し、その反射光を第１反射ミラー５２により反射して第２走査ユニット４６へと導き、これにより原稿表面の画像を副走査方向に走査する。第２走査ユニット４６は、第２及び第３反射ミラー５３、５４を備えており、第１走査ユニット４５に追従して速度Ｖ／２で移動しつつ、原稿からの反射光を第２及び第３反射ミラー５３、５４により反射して結像レンズ４７へと導く。結像レンズ４７は、原稿からの反射光をＣＣＤ４８に集光して、原稿表面の画像をＣＣＤ４８上に結像させる。ＣＣＤ４８は、原稿の画像を繰り返し主走査方向に走査し、その度に、１主走査ラインのアナログ画像信号を出力する。
【００５２】
また、画像読取り装置４１は、静止原稿だけではなく、原稿搬送装置４２により搬送されている原稿表面の画像を読取ることができる。この場合は、第１走査ユニット４５を原稿読取りガラス５５下方の読取り範囲に移動させ、第１走査ユニット４５の位置に応じて第２走査ユニット４６を位置決めし、この状態で、原稿搬送装置４２による原稿の搬送を開始する。
【００５３】
原稿搬送装置４２では、ピックアップローラ５６を原稿トレイ５７上の原稿に押し当て回転させて、原稿を引き出し、原稿を原稿搬送路５８を通じて搬送し、原稿を原稿読取りガラス５５と読取りガイド板５９間に通過させ、更に原稿を排紙ローラ６１から排紙トレイ６２へと搬送する。原稿搬送路５８に沿って、原稿をその先端を揃えてから搬送するレジストローラ６３や、原稿を搬送する搬送ローラ６４が配置されている。
【００５４】
この原稿の搬送に際し、第１走査ユニット４５の照明装置５１により原稿表面を原稿読取りガラス５５を介して照明し、原稿表面からの反射光を第１及び第２走行ユニット４５、４６の各反射ミラーにより結像レンズ４７へと導き、原稿表面からの反射光を結像レンズ４７によりＣＣＤ４８に集光させ、原稿表面の画像をＣＣＤ４８上に結像させ、これにより原稿表面の画像を読取る。
【００５５】
また、原稿の裏面を読取る場合は、中間トレイ６７をその軸周りで点線で示すように回転させておき、原稿を排紙ローラ６１から排紙トレイ６２へと排出する途中で、排紙ローラ６１を停止させて、原稿を中間トレイ６７上に受け、排紙ローラ６１を逆回転させて、原稿を反転搬送路６８を介してレジストローラ６３へと導いて、原稿の表裏を反転させ、原稿表面の画像と同様に、原稿裏面の画像を読取り、中間トレイ６７を実線で示す元の位置に戻して、原稿を排紙ローラ６１から排紙トレイ６２へと排出する。
【００５６】
こうしてＣＣＤ４８により読取られた原稿の画像は、ＣＣＤ４８からアナログ画像信号として出力され、このアナログ画像信号がデジタル画像信号（画像データ）にＡ／Ｄ変換される。そして、この画像データは、種々の画像処理を施されてから画像形成装置１の光走査装置１１へと送受され、画像形成装置１において画像が記録用紙に記録され、この記録用紙が複写原稿として出力される。
【００５７】
次に、光走査装置１１を詳細に説明する。図２、図３（ａ）、（ｂ）は、光走査装置１１を示す斜視図、平面図、断面図である。
【００５８】
この光学走査装置１１では、ブラック（Ｋ）、シアン（Ｃ）、マゼンタ（Ｍ）、イエロー（Ｙ）の各色に対応するそれぞれのレーザダイオード７１ａ、７１ｂ、７１ｃ、７１ｄと、各レーザダイオード７１ａ〜７１ｄの光ビームを反射するハーフミラーもしくはミラー７２ａ、７２ｂ、７２ｃ、７２ｄと、ハーフミラーもしくはミラー７２ａ〜７２ｄからの各光ビームを反射するミラー７３と、ミラー７３からの各光ビームを反射するポリゴンミラー（回転多面鏡）７４と、ポリゴンミラー７４からの各光ビームを屈折させる第１ｆθレンズ７５と、第１ｆθレンズ７５を透過した各光ビームを個別に反射する複数のミラー７６ａ、７６ｂ、７６ｃ、７６ｄと、各ミラー７６ａ〜７６ｄからの各光ビームをそれぞれ個別に屈折させる４つの第２ｆθレンズ７７ａ、７７ｂ、７７ｃ、７７ｄとを備えている。
【００５９】
ポリゴンミラー７４は、正多角形柱状のものであって、高速回転駆動されており、その各周面のミラーにより各光ビームを反射しつつ主走査方向Ｘに繰り返し走査する。第１ｆθレンズ７５、各ミラー７６、及び各第２ｆθレンズ７７は、主走査方向Ｘに繰り返し走査されるそれぞれの光ビームを反射したり屈折させるため、主走査方向Ｘに長くされかつ主走査方向Ｘに直交する方向で短くされた棒状に形成され、それらの両端を支持されている。
【００６０】
ブラックに対応するレーザダイオード７１ａから出射された光ビームは、ハーフミラー７２ａを透過し、ミラー７３で反射され、ポリゴンミラー７４で反射されて主走査方向Ｘに走査され、更に第１ｆθレンズ７５を透過して、ミラー７６ａで反射され、第２ｆθレンズ７７ａを透過して、ブラックに対応する感光体ドラム３に入射する。シアンに対応するレーザダイオード７１ｂから出射された光ビームは、ハーフミラー７２ｂ、７２ａ及びミラー７３で順次反射され、ポリゴンミラー７４で反射されて主走査方向Ｘに走査され、更に第１ｆθレンズ７５を透過して、２個のミラー７６ｂで反射され、第２ｆθレンズ７７ｂを透過して、シアンに対応する感光体ドラム３に入射する。マゼンタに対応するレーザダイオード７１ｃから出射された光ビームは、ハーフミラー７２ｃで反射されて、ハーフミラー７２ｂを透過し、ハーフミラー７２ａ及びミラー７３で順次反射され、ポリゴンミラー７４で反射されて主走査方向Ｘに走査され、更に第１ｆθレンズ７５を透過して、２個のミラー７６ｃで反射され、第２ｆθレンズ７７ｃを透過して、マゼンタに対応する感光体ドラム３に入射する。イエローに対応するレーザダイオード７１ｄから出射された光ビームは、ミラー７２ｄで反射され、ハーフミラー７２ｃ、７２ｂを順次透過し、ハーフミラー７２ａ及びミラー７３で順次反射され、ポリゴンミラー７４で反射されて主走査方向Ｘに走査され、更に第１ｆθレンズ７５を透過して、２個のミラー７６ｄで反射され、第２ｆθレンズ７７ｄを透過して、マゼンタに対応する感光体ドラム３に入射する。
【００６１】
先に述べたように各感光体ドラム３は、矢印方向に回転駆動されており、主走査方向Ｘに繰り返し走査されるそれぞれの光ビームを照射されて、各感光体ドラム３の表面にそれぞれの静電潜像が形成される。各感光体ドラム３表面の静電潜像は、それぞれ現像されてトナー像となり、これらのトナー像が中間転写ベルト７を介して記録用紙に重ねて転写され、記録用紙上でカラーのトナー像となる。
【００６２】
また、光学走査装置１１の本体筐体１１ａの上側は、各第２ｆθレンズ７７ａ〜７７ｄの部位だけが開口されて、他の部位が閉じられ遮光されており（図示せず）、外乱光の浸入が防止されている。
【００６３】
図４は、光走査装置１１における基板上に搭載された各レーザダイオード７１ａ〜７１ｄ、各集積回路、及びＥＥＰＲＯＭ等と、画像形成装置１における主制御部及び操作パネル等とを示すブロック図である。尚、以降は、各レーザダイオードの符号７１ａ〜７１ｄを符号７１に統一する。
【００６４】
図４において、光走査装置１１の基板８１は、光学走査装置１１の本体筐体１１ａ（図２に示す）の背面側に固定されており、この基板８１上に４個のレーザダイオード７１、各レーザダイオード７１を制御するそれぞれの集積回路８２、及びＥＥＰＲＯＭ８３が搭載されている。
【００６５】
基板８１上の各集積回路８２は、画像形成装置１の主制御部８５から制御信号、及びブラック（Ｋ）、シアン（Ｃ）、マゼンタ（Ｍ）、イエロー（Ｙ）の各色の画像データを入力し、制御信号に基づき各レーザダイオード７１の光ビームによるそれぞれの主走査期間等を設定したり、各色の画像データに応じて各レーザダイオード７１をオンオフさせる。
【００６６】
また、基板８１上のＥＥＰＲＯＭ８３は、主制御部８５で設定された制御情報、又はパーソナルコンピュータ等の外部端末（図示せず）から画像形成装置１のＬＡＮ端子８７を通じて入力された制御情報を入力し、この制御情報を記憶する。これにより、ＥＥＰＲＯＭ８３内の制御情報が書き換えられる。具体的には、メモリへの周知の転送方式であるＩ2Ｃやマイクロワイヤ等を適用して、画像形成装置１の主制御部８５もしくは外部端末からＥＥＰＲＯＭ８３内の制御情報を書き換えることができる。
【００６７】
図５は、光走査装置１１の基板８１における回路構成全体を示すブロック図である。図５において、各レーザダイオード７１には、該各レーザダイオード７１の光出力レベルを検出するそれぞれのフォトダイオード９１が並設されている。各レーザダイオード７１と各フォトダイオード９１のいずれの組合せにおいても、レーザダイオード７１のアノードとフォトダイオード９１のカソードが集積回路８２の電源端子８２ａに共通接続され、レーザダイオード７１に順方向の電圧５Ｖが印加され、フォトダイオード９１に逆方向の電圧５Ｖが印加されている。また、フォトダイオード９１のアノードが集積回路８２のＡＤコンバータ８２−１に接続され、レーザダイオード７１のカソードが集積回路８２のＤＡコンバータ８２−２に接続されている。
【００６８】
各集積回路８２においては、ＤＡコンバータ８２−２のアナログ出力側と接地間にスイッチング素子８２−３が挿入されている。スイッチング素子８２−３のゲートには、画像データがレシーバ８２−４を介して加えられ、画像データの２値信号に応じてスイッチング素子８２−３がオンオフに切り替わる。
【００６９】
ＥＥＰＲＯＭ８３は、制御情報を入力して記憶する。ＥＥＰＲＯＭ８３に記憶された制御情報の一部は、各集積回路８２のレジスタ８２−５にロードされて記憶される。
【００７０】
各集積回路８２の制御部８２−６は、それぞれのレジスタ８２−５内の制御情報に基づき各レーザダイオード７１を駆動制御する。
【００７１】
この制御情報は、レーザダイオード７１の光ビームによる感光体表面の一主走査期間における該光ビームの強度の変化パターン（光量補正データ）を含む。詳しくは、この変化パターンは、一主走査ラインの各画素の濃度を設定するためのそれぞれの光ビームの強度の比率であり、一主走査期間毎に繰り返される。
【００７２】
図６は、一組のレーザダイオード７１とフォトダイオード９１、集積回路８２、ＥＥＰＲＯＭ８３、及び画像形成装置１の主制御部８５を抜粋して示すブロック図である。この図６を参照しつつ、レーザダイオード７１の制御を詳しく説明する。
【００７３】
フォトダイオード９１は、レーザダイオード７１の発光時にその光出力レベルを検出し、この光出力レベルに対応する検出出力をＡＤコンバータ８２−１に出力する。ＡＤコンバータ８２−１は、フォトダイオード９１の検出出力をアナログデジタル変換し、この変換した検出出力の値（レーザダイオード７１の光出力レベルに対応する）を制御部８２−６に出力する。
【００７４】
制御部８２−６は、その変換した検出出力の値を入力すると、この値が目標となる規定値となるようなレーザダイオード７１の駆動電流ＩＦを示す値を求め、この駆動電流ＩＦを示す値をＤＡコンバータ８２−２に出力する。
【００７５】
ＤＡコンバータ８２−２は、駆動電流ＩＦを示す値をデジタルアナログ変換して、このＤＡコンバータ８２−２を通じて流れる駆動電流ＩＦを設定する。
【００７６】
スイッチング素子８２−３は、画像データの２値信号をレシーバ８２−４を介して加えられ、画像データの２値信号に応じてオンオフに切替えられる。これにより、レーザダイオード７１→ＤＡコンバータ８２−２→スイッチング素子８２−３という駆動電流ＩＦの経路がオンオフされる。この経路がオンのときには、ＤＡコンバータ８２−２を通じて駆動電流ＩＦが流れ、レーザダイオード２０１の光出力レベルが目標となる規定値に対応するものとなる。また、画像データの２値信号に応じてレーザダイオード７１が点灯及び消灯される。
【００７７】
図７（ａ）〜（ｄ）は、図６の回路の動作を示すタイミングチャートである。この図７において、Ｔ2〜Ｔ3の期間は、一主走査期間である。この主走査期間の前にＴ0〜Ｔ1の期間が設定されており、図７（ａ）に示すようにＴ0〜Ｔ1の期間に光量補正用点灯信号がレシーバ８２−４を介してスイッチング素子８２−３に加えられ、スイッチング素子８２−３がオンとなって、駆動電流ＩＦがレーザダイオード７１に流れ、レーザダイオード７１が発光して、フォトダイオード９１の検出出力がＡＤコンバータ８２−１でアナログデジタル変換され、この変換された検出出力の値（レーザダイオード７１の光出力レベルに対応する）が制御部８２−６に加えられる。制御部８２−６は、その変換された検出出力の値を入力すると、この値が基準値（基準となる規定値）に収束するようなレーザダイオード７１の駆動電流ＩＦを示す値を求め、この駆動電流ＩＦを示す値をＤＡコンバータ８２−２に出力する。ＤＡコンバータ８２−２は、駆動電流ＩＦを示す値をデジタルアナログ変換して、このＤＡコンバータ８２−２を通じて流れる駆動電流ＩＦを設定する。これにより、レーザダイオード７１の出力レベルがフィードバック制御される。
【００７８】
図７（ｄ）に示すようなＴ0〜Ｔ1の期間におけるフォトダイオード９１の検出出力をアナログデジタル変換したサンプルホールド値は、レジスタ８２−５に記憶される。
【００７９】
引き続いて、Ｔ2〜Ｔ3の主走査期間において、制御部８２−６は、レジスタ８２−５内の主走査期間における光ビームの強度の変化パターン（図７（ｃ）に示す）を参照し、主走査ラインの画素毎に、その変化パターンから光ビームの強度の比率を取得して、この比率をレジスタ８２−５内のサンプルホールド値に乗算し、この積を目標となる規定値として設定し、フォトダイオード９１の検出出力を示す値がその規定値となるようなレーザダイオード７１の駆動電流ＩＦを示す値を求める。これにより、レーザダイオード７１の光ビームによる主走査ラインの各画素の走査に伴い、その変化パターンでレーザダイオード７１の出力レベルが変化するような駆動電流ＩＦの値が逐次求められる。ＤＡコンバータ８２−２は、主走査期間の画素毎に、駆動電流ＩＦの値を入力して、この値をデジタルアナログ変換し、この値の駆動電流ＩＦを設定する。そして、図７（ｂ）に示すような画像データの２値信号に応じてスイッチング素子８２−３がオンオフに切替えられ、レーザダイオード７１が点灯及び消灯される。これにより、図７（ｄ）に示すようにＴ2〜Ｔ3の主走査期間において、レーザダイオード７１の出力レベルがレジスタ８２−５内の主走査期間における変化パターンで変化する。
【００８０】
図７（ｃ）に示す主走査期間におけるレーザダイオード７１の出力レベルの変化パターンは、シェーディング補正のためのものである。これにより、光学系の周辺減光等が補正される。
【００８１】
このようなＴ0〜Ｔ3の動作は、主走査毎に繰り返されて、レーザダイオード７１の光ビームによる書き込みが行われる。
【００８２】
ところで、光走査装置１１においては、光ビームの光路が複雑なため、迷光を生じることがあり、この迷光が感光体ドラム１３の表面に入射して、感光体ドラム１３の表面の静電潜像に影響を及ぼし、感光体ドラム１３及び記録用紙上のトナー像に迷光痕が生じ、画像品質が低下することがある。
【００８３】
そこで、本実施形態では、記録用紙上に生じた迷光痕を検出し、光走査装置１１の光ビームにより感光体ドラム１３表面における迷光痕に該当する箇所が走査されるときに該光ビームの強度を低下させて、迷光痕の潜像濃度を低下させ、これにより迷光痕のトナー像濃度も低下させて、記録紙用紙上の迷光痕を目立たなくして抑制している。
【００８４】
具体的には、光走査装置１１のＥＥＰＲＯＭ８３に均一濃度のグレイ（テストパターン）を記憶しておき、光走査装置１１によりテストパターンの潜像を感光体ドラム１３に形成して、感光体ドラム１３表面の静電潜像を現像して、感光体ドラム１３表面にテストパターンのトナー像を形成し、テストパターンのトナー像を中間転写ベルト７を介して第１記録用紙（例えば普通紙）に重ねて転写し、第１記録用紙上のテストパターンを画像読取り装置４１により読取って、この画像データを主制御部８５に内蔵のメモリ８５ａに記憶する。また、白紙（均一濃度のスキャンパターン）の第２記録用紙（例えば普通紙）を画像読取り装置４１により読取って、この画像データを主制御部８５に内蔵のメモリ８５ａに記憶する。主制御部８５は、テストパターンの画像データとスキャンパターンの画像データを比較して、第１記録用紙上に生じた迷光痕を検出し、光走査装置１１の光ビームにより感光体ドラム１３表面における迷光痕に該当する箇所が走査されるときに該光ビームの強度を低下させ、迷光痕の潜像濃度を低下させる。
【００８５】
ここで、迷光が感光体ドラム１３表面の潜像に影響を及ぼしたならば、迷光を原因とする迷光痕が第１記録用紙上のテストパターン（均一濃度のグレイ）の読取り画像に現れる。また、第２記録用紙上のスキャンパターン（白紙）の読取り画像は、画像読取り装置４１により単に読取られただけのものであって、光走査装置１１や感光体ドラム１３に関係ないので、迷光痕が第２記録用紙上のスキャンパターン（白紙）の読取り画像に現れることはない。従って、第１記録用紙上のテストパターンの読取り画像と第２記録用紙上のスキャンパターンの読取り画像とを比較すれば、第１記録用紙上のテストパターンの読取り画像に現れていて、かつ第２記録用紙上のスキャンパターンの読取り画像に現れていない迷光痕を特定することができる。そして、迷光痕を特定することができれば、迷光痕を抑制するための制御が可能になる。
【００８６】
尚、各色別に、第１記録用紙上のテストパターンの記録と読取りを行って、第１記録用紙上のテストパターンの読取り画像と第２記録用紙上のスキャンパターン（白紙）の読取り画像を比較し、各色の迷光痕を特定してもよい。また、黒色だけを選択して、第１記録用紙上のテストパターンの記録と読取りを行って、第１記録用紙上の黒色のテストパターンの読取り画像と第２記録用紙上のスキャンパターン（白紙）の読取り画像を比較して、黒色の迷光痕を特定しても構わない。
【００８７】
また、第１及び第２記録用紙は、同一種類のものでよく、例えば給紙トレイ１８に収容されている記録用紙を用いるようにする。これにより、サービスマン等が格別な用紙を準備して携帯する必要がなく、何時でも迷光痕を調べることが可能になる。
【００８８】
次に、そのような光走査装置１１の迷光を原因として生じた第１記録用紙上の迷光痕の特定と、迷光痕を抑制するための制御を詳しく説明する。
【００８９】
まず、図８（ａ）は、光走査装置１１のＥＥＰＲＯＭ８３に予め記憶されている均一濃度のグレイからなるテストパターンＴＰを例示している。感光体ドラム１３に入射する迷光の強度が低いことから、テストパターンＴＰ（背景）が白である場合は、記録用紙上に迷光痕が現れ難い。ところが、テストパターンＴＰ（背景）がグレイである場合は、迷光痕がグレイに乗って現れ易くなる。このため、テストパターンＴＰとしてグレイの均一濃度を適用している。
【００９０】
図８（ｂ）は、テストパターンＴＰを印刷した第１記録用紙（例えば普通紙）１０１を示している。光走査装置１１によりテストパターンの潜像を感光体ドラム１３に形成するときに、迷光が感光体ドラム１３表面に入射すると、迷光が感光体ドラム１３表面の静電潜像に影響する。この場合、感光体ドラム１３表面の静電潜像を現像して、テストパターンのトナー像を形成し、テストパターンのトナー像を中間転写ベルト７を介して第１記録用紙１０１に重ねて転写すると、第１記録用紙１０１上のテストパターンＴＰに迷光痕のスジＧ１が現れる。
【００９１】
光走査装置１１の光ビームは、主走査方向に繰返し走査されるが、走査の度に、主走査ラインの特定箇所で迷光が生じると、副走査方向に延びるスジＧ１が現れる。また、テストパターンＴＰ（背景）がグレイであるため、スジＧ１がグレイに乗って現れ易くなっている。
【００９２】
図８（ｃ）は、画像読取り装置４１により読取られた第１記録用紙１０１上のテストパターンＴＰの読取り画像を示している。第１記録用紙１０１上のテストパターンＴＰの読取り画像には、迷光痕のスジＧ１だけではなく、画像読取り装置４１を原因とするスジＧ２も現れている。
【００９３】
画像読取り装置４１では、ラインセンサにより記録用紙上の画像を主走査方向に繰返し読取っているが、ラインセンサへの入射光路の特定箇所に埃等が存在すると、埃が繰返し読取られて、副走査方向に延びるスジＧ２が現れる。
【００９４】
図８（ｃ）の各スジＧ１、Ｇ２が現れた第１記録用紙１０１上のテストパターンＴＰの読取り画像は、主制御部８５のメモリ８５ａに記憶される。
【００９５】
このように第１記録用紙１０１には、光走査装置１１の迷光を原因とするスジＧ１と、画像読取り装置４１の埃等を原因とするスジＧ２とが現れる可能性がある。このため、迷光を原因とするスジＧ１を、埃等を原因とするスジＧ２と区別する必要がある。
【００９６】
図８（ｄ）は、白紙（均一濃度のスキャンパターンＳＰ）の第２記録用紙（例えば普通紙）１０２を示している。また、図８（ｅ）は、画像読取り装置４１により読取られた第２記録用紙１０２上のスキャンパターンＳＰの読取り画像を示している。第２記録用紙１０２上のスキャンパターンＳＰの読取り画像には、画像読取り装置４１を原因とするスジＧ２が現れているが、光走査装置１１を原因とする迷光痕のスジＧ１が現れることはない。
【００９７】
図８（ｅ）のスジＧ２が現れた第２記録用紙１０２上のスキャンパターンＳＰの読取り画像は、主制御部８５のメモリ８５ａに記憶される。
【００９８】
図８（ｃ）の第１記録用紙１０１上のテストパターンＴＰの読取り画像と図８（ｅ）の第２記録用紙１０２上のスキャンパターンＳＰの読取り画像とを比較すると明らかなように、画像読取り装置４１を原因とするスジＧ２は、各パターンＴＰ、ＳＰの読取り画像のいずれにも現れている。また、光走査装置１１の迷光を原因とするスジＧ１は、テストパターンＴＰの読取り画像のみに現れている。
【００９９】
主制御部８５は、メモリ８５ａに記憶されている各パターンＴＰ、ＳＰの読取り画像を比較して、各パターンＴＰ、ＳＰの読取り画像のいずれにも現れているスジＧ２を特定し、またテストパターンＴＰの読取り画像のみに現れているスジＧ１を特定する。例えば、スキャンパターンＳＰの読取り画像については、白地であるから、一定濃度以上の各画素を抽出することによりスジＧ２を特定することができる。また、テストパターンＴＰの読取り画像についても、その生地が均一濃度のグレイであるから、一定濃度以上の各画素を抽出することにより各スジＧ１、Ｇ２を特定することができる。
【０１００】
そして、主制御部８５は、スキャンパターンＳＰの読取り画像におけるスジＧ２の位置を求め、テストパターンＴＰの読取り画像における各スジＧ１、Ｇ２の位置を求め、これらの位置を比較して、各パターンＳＰ、ＴＰの読取り画像における各スジＧ２の位置が一致すると、各スジＧ２が画像読取り装置４１もしくはその埃を原因とする共通のスジであると判定する。また、テストパターンＴＰの読取り画像のスジＧ１がスキャンパターンＳＰの読取り画像に存在しないことから、スジＧ１が光走査装置１１もしくはその迷光を原因とするスジであると判定する。
【０１０１】
こうして光走査装置１１もしくはその迷光を原因とするスジＧ１を特定すると、主制御部８５は、スジＧ１の濃度とテストパターンＴＰのグレイの均一濃度との濃度差を求め、この濃度差が一定値以上であると、スジＧ１が画像品質を低下させる程の明らかな迷光痕であると判定し、スジＧ１と重なる主走査ライン上の各画素を求める。
【０１０２】
そして、主制御部８５は、その濃度差及びスジＧ１と重なる主走査ライン上の各画素に基づいて、光走査装置１１の集積回路８２のレジスタ８２−５内の主走査期間における光ビームの強度の変化パターンを書き換える。すなわち、図９（ｃ）に示すようにＴ2〜Ｔ3の主走査期間における光ビームの強度の変化パターンを、スジＧ１と重なる主走査ライン上の各画素が走査されるタイミングｔ１〜ｔ２で、その濃度差に対応するレベルだけ光ビームの強度（出力レベル）が低下するように書き換える。
【０１０３】
これにより、図９（ｄ）、図１０（ａ）、（ｂ）に示すようにＴ2〜Ｔ3の主走査期間において、レーザダイオード７１の出力レベルがレジスタ８２−５内の主走査期間における変化パターンで変化し、スジＧ１と重なる主走査ライン上の各画素が走査されるタイミングｔ１〜ｔ２で、その濃度差に対応するレベルだけ光ビームの強度が低下する。この結果、光走査装置１１の光ビームにより感光体ドラム１３表面のスジＧ１に該当する箇所が走査されるときに該光ビームの強度が低下して、スジＧ１の潜像濃度が低下し、スジＧ１のトナー像濃度も低下して、記録紙用紙上のスジＧ１が目立たなくなる。
【０１０４】
あるいは、光走査装置１１の集積回路８２のレジスタ８２−５内の主走査期間における光ビームの強度の変化パターンを書き換える代わりに、上記濃度差及びスジＧ１と重なる主走査ライン上の各画素について、画像データ（該各画素の濃度）を書き換えてもよい。この場合、主制御部８５は、図１１（ｂ）に示すように主走査ライン（Ｔ2〜Ｔ3の主走査期間）に対応する画像データを、スジＧ１と重なる各画素（ｐｘ１〜ｐｘ２）の濃度がその濃度差に対応するレベルだけ低下するように書き換える。これによっても、図１１（ｄ）、図１２（ａ）、（ｂ）に示すようにＴ2〜Ｔ3の主走査期間において、スジＧ１と重なる主走査ライン上の各画素（ｐｘ１〜ｐｘ２）が走査されるタイミングで、その濃度差に対応するレベルだけ光ビームの強度が低下する。この結果、光走査装置１１の光ビームにより感光体ドラム１３表面のスジＧ１に該当する箇所が走査されるときに該光ビームの強度が低下して、スジＧ１の潜像濃度が低下し、スジＧ１のトナー像濃度も低下して、記録紙用紙上のスジＧ１が目立たなくなる。
【０１０５】
以上、添付図面を参照しながら本発明の好適な実施形態及び変形例について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと解される。
【符号の説明】
【０１０６】
１  画像形成装置
１１  光走査装置（光走査部）
１２  現像装置
１３  感光体ドラム（潜像担持体）
１４  ドラムクリーニング装置
１５  帯電器
１６  中間転写ベルト装置
１７  定着装置
１８  給紙トレイ
１９  用紙排出トレイ
４１  画像読取り装置
４２  原稿搬送装置
７１、７１ａ〜７１ｄ  レーザダイオード
８１  基板
８２  集積回路
８２−６  制御部（光量制御部）
８３  ＥＥＰＲＯＭ
８５  主制御部（印刷制御部、比較部）
８５ａ  メモリ
１０１  第１記録用紙
１０２  第２記録用紙
【図１】
2012018261.tif 000003
【図２】
2012018261.tif 000004
【図３】
2012018261.tif 000005
【図４】
2012018261.tif 000006
【図５】
2012018261.tif 000007
【図６】
2012018261.tif 000008
【図７】
2012018261.tif 000009
【図８】
2012018261.tif 000010
【図９】
2012018261.tif 000011
【図１０】
2012018261.tif 000012
【図１１】
2012018261.tif 000013
【図１２】
2012018261.tif 000014